(57)【特許請求の範囲】
【請求項１】
同心状の複数の繰出レンズ枠と；これらの複数の繰出レンズ枠の移動位置を制御する複数のカム溝を有し、該複数の繰出レンズ枠を収納位置と最長繰出位置との間で進退させるカムリングと；収納位置にある繰出レンズ枠の前方をレンズ光軸と直交方向にスライドして該繰出レンズ枠の前方を開閉する該繰出レンズ枠とは別体のスライドバリヤと；を備えたズームレンズ鏡筒において、
上記カムリングのカム溝に、上記複数の繰出レンズ枠を繰出位置から収納位置に移動させるとき、該収納位置に達する前に、最内方の最小径の繰出レンズ枠をその外側の繰出レンズ枠内に収納して内外の繰出レンズ枠の先端の光軸方向の段差をなくす段差解消区間と、内外の繰出レンズ枠の段差をなくした状態で、内外の繰出レンズ枠を収納位置に移動させる一体移動区間とを設け、
段差がなくなった内外の繰出レンズ枠が上記収納位置より前方で上記スライドバリヤに当接不可能な位置に達した後に上記スライドバリヤのロックを解除して、該スライドバリヤを開位置から上記繰出レンズ枠の前方を覆う閉位置に移動可能にするロック機構を設けたことを特徴とするズームコンパクトカメラのレンズ収納装置。
【請求項２】
請求項１において、上記カムリングは、複数の繰出レンズ枠の一つであるズームコンパクトカメラのレンズ収納装置。
【発明の詳細な説明】
【０００１】
【技術分野】
本発明は、ズームコンパクトカメラのレンズ収納方法及び装置に関する。
【０００２】
【従来技術およびその問題点】
ズームコンパクトカメラは、同心状の複数の繰出レンズ枠を有し、これらの複数の繰出レンズ枠を収納位置と繰出位置との間で進退させる構造を有する。複数の繰出レンズ枠は、収納位置ではその先端部に光軸方向の段差がない状態にされ、繰り出されるにつれて、この段差が徐々に拡大されていく。別言すると、複数の繰出レンズ枠の先端部に段差がない状態になるのは、収納位置に限られ、少しでも繰り出されると、内側の繰出レンズ枠が外側の繰出レンズ枠から突出する。このため、繰出位置から収納位置に移動させるとき、収納位置の直前において内側の繰出レンズ枠に外部部材が衝突するおそれがあった。特に、レンズ鏡筒（繰出レンズ枠）の前面を、スライドバリヤで開閉するタイプのコンパクトカメラでは、繰出レンズ枠が完全に収納位置に達する直前に、スライドバリヤの係止を解く構造とすることがあり、この場合には、スライドバリヤを無理に操作したとき、内側の繰出レンズ枠と衝突するおそれがあった。
【０００３】
【発明の目的】
本発明は、従来のレンズ収納構造についての以上の問題意識に基づき、完全に収納位置に達する前に、内側の繰出レンズ枠が外側の繰出レンズ枠内に収納されるレンズ収納方法及び装置を得ることを目的とする。
【０００４】
本発明は、同心状の複数の繰出レンズ枠と；これらの複数の繰出レンズ枠の移動位置を制御する複数のカム溝を有し、該複数の繰出レンズ枠を収納位置と最長繰出位置との間で進退させるカムリングと；収納位置にある繰出レンズ枠の前方をレンズ光軸と直交方向にスライドして該繰出レンズ枠の前方を開閉する該繰出レンズ枠とは別体のスライドバリヤと；を備えたズームレンズ鏡筒において、上記カムリングのカム溝に、上記複数の繰出レンズ枠を繰出位置から収納位置に移動させるとき、該収納位置に達する前に、最内方の最小径の繰出レンズ枠をその外側の繰出レンズ枠内に収納して内外の繰出レンズ枠の先端の光軸方向の段差をなくす段差解消区間と、内外の繰出レンズ枠の段差をなくした状態で、内外の繰出レンズ枠を収納位置に移動させる一体移動区間とを設け、段差がなくなった内外の繰出レンズ枠が上記収納位置より前方で上記スライドバリヤに当接不可能な位置に達した後に上記スライドバリヤのロックを解除して、該スライドバリヤを開位置から上記繰出レンズ枠の前方を覆う閉位置に移動可能にするロック機構を設けたことを特徴とする。
【０００７】
上記カムリングは、複数の繰出レンズ枠の一つとすることが可能である。
【０００８】
【発明の実施の形態】
本実施形態は、図６に示すように、本発明を二段繰出レンズ鏡筒１０を有するズームコンパクトカメラに適用したものである。カメラボディＣＢには、二段繰出レンズ鏡筒１０の前方を開閉するスライドバリヤＳＢが摺動自在に設けられている。まず、図１ないし図４について、二段繰出レンズ鏡筒１０の全体構造を説明する。カメラボディＣＢに一体化される固定環１１には、その内面に雌ヘリコイド１１ａが形成されている。この雌ヘリコイド１１ａには、固定環１１内に嵌められる外側繰出レンズ枠（カムリング、駆動リング）１２の後端部に形成した雄ヘリコイド１２ａが螺合している。外側繰出レンズ枠１２には、雄ヘリコイド１２ａの一部を切除して螺旋状にギヤ１２ｂが形成されており、このギヤ１２ｂが、固定環１１に回転自在に支持したズーム駆動ギヤ１３に噛み合っている。ズーム駆動ギヤ１３は図示しないズームモータによって回転駆動され、ズーム駆動ギヤ１３が回転駆動されると、外側繰出レンズ枠１２が雄ヘリコイド１２ａと雌ヘリコイド１１ａに従い回転しながら光軸方向に移動する。
【０００９】
外側繰出レンズ枠１２は、外筒１２Ａと内筒１２Ｂとを有し、後端部が径方向の遮光壁１２Ｃで閉塞され前端部が開放された断面コ字状の二重筒構造をなしている。この内筒１２Ｂの内面には、前後２群のレンズ群Ｌ１とＬ２用のカム溝１２ｄと１２ｅが形成されている。
【００１０】
外側繰出レンズ枠１２内には、直進案内環１４が嵌まり、この直進案内環１４の後端部の外側繰出レンズ枠１２からの突出部には、直進案内板１５が固定されている。この直進案内板１５は、直進案内環１４との間に外側繰出レンズ枠１２の後端部の内方フランジ１２ｆを回動自在に挟み、直進案内環１４と外側繰出レンズ枠１２を、相対回転は自在で光軸方向には一体に動くように結合している。そして、直進案内板１５には、径方向突起１５ａが形成され、この径方向突起１５ａは、固定環１１の内面に形成した光軸と平行な直進案内溝１１ｂに嵌まっている。
【００１１】
直進案内環１４には、光軸と平行な直進案内脚１４ａが形成されており、この直進案内脚１４ａによって、前群レンズＬ１を支持した内側繰出レンズ枠１６と、後群レンズＬ２を固定した後群枠１７とがそれぞれ直進案内されている。すなわち、内側繰出レンズ枠１６は、直進案内脚１４ａと係合する直進突起１６ａを有し、後群枠１７は、別の直進案内脚１４ａと係合する直進突起１７ａを有している。直進突起１７ａには、外側繰出レンズ枠１２のカム溝１２ｅに係合するフォロアピン１７ｂが径方向に突設されている。
【００１２】
内側繰出レンズ枠１６は、外筒１６Ａと内筒１６Ｂとを有し、前端部が径方向の遮光壁１６Ｃにより閉塞され後端部が開放された断面コ字状の二重筒構造をなしている。そして、この二重筒構造の内側繰出レンズ枠１６と、同じ二重筒構造の外側繰出レンズ枠１２とが互いに嵌合している。すなわち、内側から順に、内側繰出レンズ枠１６の内筒１６Ｂ、外側繰出レンズ枠１２の内筒１２Ｂ、内側繰出レンズ枠１６の外筒１６Ａ、外側繰出レンズ枠１２の外筒１２Ａの順に同心状に位置する関係で、嵌合している。この迷路を構成する嵌合関係により、外側繰出レンズ枠１２と内側繰出レンズ枠１６との間から、有害光が進入するのが防止される。上記の直進突起１６ａは、内筒１６Ｂの内面に沿って一体に設けられ、その後端部は、内筒１６Ｂから突出している。この突出端に、外側繰出レンズ枠１２のカム溝１２ｄに係合するフォロアピン１６ｂが径方向に突設されている。
【００１３】
内側繰出レンズ枠１６にはまた、シャッタユニット取付環１６ｄが一体に設けられていて、このシャッタユニット取付環１６ｄにシャッタユニット１８が固定されている。環状をなすシャッタユニット１８は、その中心部に、前群レンズＬ１を固定した前群枠１９が螺合されている。シャッタユニット１８は、周知のように、被写体距離情報に応じて、この前群枠１９（前群レンズＬ１）を回転させて螺合関係により光軸方向に進退させ、被写体輝度情報に応じてシャッタブレードを開閉する。
【００１４】
図５は、外側繰出レンズ枠１２の前群用カム溝１２ｄと後群用カム溝１２ｅの展開図である。この前群用カム溝１２ｄと後群用カム溝１２ｅはそれぞれ、テレ端Ｔとワイド端Ｗの間で前群レンズＬ１と後群レンズＬ２を駆動するズーム区間θ１と、ワイド端Ｗから収納位置Ｓの間で前群レンズＬ１と後群レンズＬ２を駆動する収納区間θ２を有する。さらに、前群用カム溝１２ｄは、この収納区間θ２の中に、段差解消区間θ２−１と、一体収納区間θ２−２とを有する。一体収納区間θ２−２は、後群用カム溝１２ｅ側の対応する区間と平行で、リング１２の周方向に延びているが、外側繰出レンズ枠１２は、ヘリコイド１２ａと１１ａの関係により、回転しながら光軸方向に進退するものであるため、リング１２の周方向に向いていても、繰出レンズ枠１２、１６の収納動作を行なわせることができる。
【００１５】
従来の前群用カム溝１２ｄの収納区間θ２の軌跡、すなわち収納位置から外側繰出レンズ枠１２と内側繰出レンズ枠１６を繰り出すとき、徐々に両者の光軸方向の段差を拡大する前群用カム溝１２ｄの収納区間θ２の軌跡は、ワイド端Ｗと収納位置Ｓとを直線状に結んだカム軌跡ＣＰ’である。これに対し、本実施例では、段差解消区間θ２−１内に、このカム軌跡ＣＰ’より傾斜のきつい（単位回転角当りの内側繰出レンズ枠１６の移動量の大きい）部分ＣＰ１と、後群用カム溝１２ｅの収納区間θ２と平行な部分ＣＰ２（一体収納区間θ２−２）とを設けている。
【００１６】
上記構成の本ズームレンズ鏡筒は、次のように動作する。ズームモータを介してズーム駆動ギヤ１３を正逆に回転駆動すると、外側繰出レンズ枠１２が正逆に回転し、回転しながら光軸方向に進退する。外側繰出レンズ枠１２の内筒１２Ｂの内面に形成された前群用カム溝１２ｄと後群用カム溝１２ｅにはそれぞれ、内側繰出レンズ枠１６のフォロアピン１６ｂと後群枠１７のフォロアピン１７ｂとが係合している。そして内側繰出レンズ枠１６と後群枠１７はそれぞれ、直進案内板１５、直進案内環１４、直進案内脚１４ａ、直進突起１６ａ、直進突起１７ａを介して直進案内されているので、外側繰出レンズ枠１２が回転すると、内側繰出レンズ枠１６（前群レンズＬ１）と後群枠１７（後群レンズＬ２）が、前群用カム溝１２ｄと後群用カム溝１２ｅのカム軌跡に従って光軸方向に直進進退する。
【００１７】
いま、外側繰出レンズ枠１２と内側繰出レンズ枠１６が最も前方に繰り出されたテレ端Ｔ位置から、外側繰出レンズ枠１２を回転させて繰り込む動作を考えると、前群用カム溝１２ｄと後群用カム溝１２ｅのズーム区間θ１の区間では、前群レンズＬ１と後群レンズＬ２によるズーミングがなされる。収納区間θ２に入ると、内側繰出レンズ枠１６は、段差解消区間θ２−１のカム軌跡ＣＰ１において、外側繰出レンズ枠１２より早く後退して該外側繰出レンズ枠１２内に収納され、内側繰出レンズ枠１６の先端との段差をなくす。その後、一体収納区間θ２−２（カム軌跡ＣＰ２）に入ると、内側繰出レンズ枠１６は外側繰出レンズ枠１２と同じ速度で一体に収納位置Ｓ位置に到達する。
【００１８】
図７は、この内側繰出レンズ枠１６と外側繰出レンズ枠１２の収納位置Ｓの直前の挙動を示している。収納位置に至る直前において、内側繰出レンズ枠１６は外側繰出レンズ枠１２内に収納されて内側繰出レンズ枠１６と外側繰出レンズ枠１２の先端部の段差がない状態になり（段差解消区間θ２−１）、次いで、内側繰出レンズ枠１６と外側繰出レンズ枠１２が一体に収納位置Ｓに至る（一体収納区間θ２−２）。スライドバリヤＳＢのロック機構が図７の上から二番目の状態で解除されるとすると、無理操作でスライドバリヤＳＢを閉じたとしても、スライドバリヤＳＢが内側繰出レンズ枠１６及び外側繰出レンズ枠１２に衝突する可能性はない。
【００１９】
一方、図８は、従来のカム軌跡ＣＰ’によって内側繰出レンズ枠１６を後退させるときの内側繰出レンズ枠１６と外側繰出レンズ枠１２の同様の挙動を示している。この従来例では、図８の上から二番目の状態のときスライドバリヤＳＢのロックが解除されると、無理操作でスライドバリヤＳＢを閉じたとき、未だ外側繰出レンズ枠１２内に収納されず、光軸方向の段差をもって該レンズ枠１２から突出している内側繰出レンズ枠１６にスライドバリヤＳＢが衝突する可能性がある。
【００２０】
以上は、繰出レンズ枠が繰出位置から収納位置に移動するときの動作を説明したものであるが、収納位置から繰出位置に移動するときの動作が以上の説明と逆になることは明らかである。
【００２１】
以上は２群のズームレンズに本発明を適用したものであるが、本発明は３群以上のズームレンズ鏡筒にも広く適用できる。
【００２２】
【発明の効果】
以上のように、本発明によれば、最外側の繰出レンズ枠がスライドバリヤに当接不可能な位置に達した後にスライドバリヤを開位置から閉位置にスライドさせれば、スライドバリヤがいずれの繰出レンズ枠にも接触することがない。したがって、従来のズームコンパクトカメラに比べてスライドバリヤを素早く閉位置にスライドさせることが可能である。
【図面の簡単な説明】
【図１】本発明によるズームコンパクトカメラのズームレンズ鏡筒部の一実施形態を示す、収納状態の上半断面図である。
【図２】同中間焦点距離での上半断面図である。
【図３】同最長焦点距離での上半断面図である。
【図４】同分解状態の斜視図である。
【図５】外側繰出レンズ枠の展開図である。
【図６】本発明によるズームコンパクトカメラの外観図である。
【図７】本発明によるズームコンパクトカメラのレンズ収納位置の直前の挙動を示す図である。
【図８】従来のズームコンパクトカメラのレンズ収納位置直前の挙動を示す図である。
【符号の説明】
ＣＢ  カメラボディ
ＳＢ  スライドバリヤ
θ１  ズーム区間
θ２  収納区間
θ２−１  段差解消区間
θ２−２  一体収納区間
Ｌ１  前群レンズ
Ｌ２  後群レンズ
１０  二段繰出レンズ鏡筒
１１  固定環
１２  外側繰出レンズ枠（カムリング、駆動リング）
１２ｄ  前群用カム溝
１２ｅ  後群用カム溝
１３  ズーム駆動ギヤ
１４  直進案内環
１５  直進案内板
１６  内側繰出レンズ枠
１７  後群枠
１８  シャッタユニット
１９  前群枠
【図１】
0003793291.tif 000002
【図２】
0003793291.tif 000003
【図３】
0003793291.tif 000004
【図４】
0003793291.tif 000005
【図５】
0003793291.tif 000006
【図６】
0003793291.tif 000007
【図７】
0003793291.tif 000008
【図８】
0003793291.tif 000009